(57)【要約】【課題】本発明は、モータハウジングに関する。【解決手段】本発明によるモータハウジングは、固定子及び回転子が収容されるハウジング本体と、前記ハウジング本体に結合され、前記回転子の回転軸を支持する支持フレームと、を含み、前記ハウジング本体の端部に内側に延長された固定部が形成され、前記支持フレームが前記固定部に結合されることができる。【選択図】図１
2014039453.tif 000002
【特許請求の範囲】
【請求項１】
固定子及び回転子が収容されるハウジング本体と、
前記ハウジング本体に結合され、前記回転子の回転軸を支持する支持フレームと、を含み、
前記ハウジング本体の端部に内側に延長された固定部が形成され、前記支持フレームが前記固定部に結合される、モータハウジング。
【請求項２】
前記固定部に前記支持フレームを固定させる固定部材をさらに含む、請求項１に記載のモータハウジング。
【請求項３】
前記固定部は、プレス加工によって前記ハウジング本体から折り曲げられて形成される、請求項１に記載のモータハウジング。
【請求項４】
前記固定部にガイド孔が形成され、前記支持フレームに前記ガイド孔に対応するようにガイド突起が形成されて、前記支持フレームが前記固定部に結合される際に前記ガイド突起が前記ガイド孔に挿入される、請求項１に記載のモータハウジング。
【請求項５】
前記ガイド突起は、円周経路に沿って等間隔に配置される、請求項４に記載のモータハウジング。
【請求項６】
前記ハウジング本体は一側方向に開放形成され、前記ハウジング本体の一側を覆うハウジング蓋をさらに含む、請求項１に記載のモータハウジング。
【請求項７】
ハウジング蓋は前記ハウジング本体の外周面に結合される、請求項６に記載のモータハウジング。
【請求項８】
前記ハウジング蓋は、内側に収容空間が形成され、中央部に流入孔が形成されており、前記収容空間に収容されて前記回転軸の端部に結合されたインペラの回転時、前記流入孔を介して前記収容空間に空気が流入される、請求項６に記載のモータハウジング。
【請求項９】
前記ハウジング蓋の側部に流出孔が形成され、前記流入孔を介して流入された空気が前記流出孔を介して排出される、請求項８に記載のモータハウジング。
【請求項１０】
前記ハウジング本体の側部に排出孔が形成され、前記流入孔を介して流入された空気が前記排出孔を介して排出される、請求項８に記載のモータハウジング。
【請求項１１】
固定子及び回転子が収容されるハウジング本体と、
前記ハウジング本体に結合され、前記回転子の回転軸を支持する支持フレームと、
前記支持フレームを固定させる固定部材と、を含み、
前記ハウジング本体の端部に内側に延長された固定部が形成され、前記支持フレームが前記固定部に結合されており、
前記固定部に第１固定孔が形成され、前記支持フレームに前記第１固定孔に対応する第２固定孔が形成されて、前記第１固定孔及び前記第２固定孔に前記固定部材が結合される、モータハウジング。
【請求項１２】
前記固定部にガイド孔が形成され、前記支持フレームに前記ガイド孔に対応するようにガイド突起が形成されて、前記支持フレームが前記固定部に結合される際に前記ガイド突起が前記ガイド孔に挿入される、請求項１１に記載のモータハウジング。
【請求項１３】
前記ガイド突起は、円周経路に沿って等間隔に配置される、請求項１２に記載のモータハウジング。
【請求項１４】
前記固定部は、プレス加工によって前記ハウジング本体から折り曲げられて形成される、請求項１１に記載のモータハウジング。
【請求項１５】
前記ハウジング本体は一側方向に開放形成され、前記ハウジング本体の一側を覆うハウジング蓋をさらに含む、請求項１１に記載のモータハウジング。
【発明の詳細な説明】
【技術分野】
【０００１】
本発明は、モータハウジングに関する。
【背景技術】
【０００２】
通常、モータは、韓国公開特許２００７‐０００２５４１号に開示されているように、モータの固定子及び回転子を収容するハウジングを備えている。
【０００３】
ここで、ハウジングは上、下の一対からなり、下部ハウジングに固定子及び回転子が収容され、上部ハウジングが下部ハウジングの上部を覆うように形成される。
【０００４】
ここで、回転子の回転軸を支持する支持フレーム部材を装着するために、下部ハウジングの上端は外側に延長されて形成される。
【０００５】
従って、下部ハウジングの上端に結合される上部ハウジングの外径が大きくなり、これによってハウジングの全体外径が増加するため、モータの小型化が困難となるという問題がある。
【先行技術文献】
【特許文献】
【０００６】
【特許文献１】韓国特許公開２００７‐０００２５４１号
【発明の開示】
【発明が解決しようとする課題】
【０００７】
本発明の一つの課題は、一対のモータハウジングの一側ハウジングの端部を内側に延長形成することにより、ハウジングの外径が減少されたモータハウジングを提供することにある。
【０００８】
また、本発明の他の課題は、一対のモータハウジングの一側ハウジングにガイド孔を形成することにより、モータの回転軸を支持する支持フレームが一側のハウジングに結合される際に結合位置をガイドすることができるモータハウジングを提供することにある。
【課題を解決するための手段】
【０００９】
本発明の一実施例によるモータハウジングは、固定子及び回転子が収容されるハウジング本体と、前記ハウジング本体に結合され、前記回転子の回転軸を支持する支持フレームと、を含み、前記ハウジング本体の端部に内側に延長された固定部が形成され、前記支持フレームが前記固定部に結合されることができる。
【００１０】
また、本発明の一実施例によるモータハウジングは、前記固定部に前記支持フレームを固定させる固定部材をさらに含むことができる。
【００１１】
また、本発明の一実施例によるモータハウジングにおいて、前記固定部は、プレス加工によって前記ハウジング本体から折り曲げられて形成されることができる。
【００１２】
また、本発明の一実施例によるモータハウジングにおいて、前記固定部にガイド孔が形成され、前記支持フレームに前記ガイド孔に対応するようにガイド突起が形成されて、前記支持フレームが前記固定部に結合される際に前記ガイド突起が前記ガイド孔に挿入されることができる。
【００１３】
また、本発明の一実施例によるモータハウジングにおいて、前記ガイド突起は、円周経路に沿って等間隔に配置されることができる。
【００１４】
また、本発明の一実施例によるモータハウジングにおいて、前記ハウジング本体の一側を覆うハウジング蓋をさらに含み、前記ハウジング本体は一側方向に開放形成されることができる。
【００１５】
また、本発明の一実施例によるモータハウジングにおいて、ハウジング蓋は前記ハウジング本体の外周面に結合されることができる。
【００１６】
また、本発明の一実施例によるモータハウジングにおいて、前記ハウジング蓋は、内側に収容空間が形成され、中央部に流入孔が形成されており、前記収容空間に収容されて前記回転軸の端部に結合されたインペラの回転時、前記流入孔を介して前記収容空間に空気が流入されることができる。
【００１７】
また、本発明の一実施例によるモータハウジングにおいて、前記ハウジング蓋の側部に流出孔が形成され、前記流入孔を介して流入された空気が前記流出孔を介して排出されることができる。
【００１８】
また、本発明の一実施例によるモータハウジングにおいて、前記ハウジング本体の側部に排出孔が形成され、前記流入孔を介して流入された空気が前記排出孔を介して排出されることができる。
【００１９】
一方、本発明の一実施例によるモータハウジングは、固定子及び回転子が収容されるハウジング本体と、前記ハウジング本体に結合され、前記回転子の回転軸を支持する支持フレームと、前記支持フレームを固定させる固定部材と、を含み、前記ハウジング本体の端部に内側に延長された固定部が形成され、前記支持フレームが前記固定部に結合されており、前記固定部に第１固定孔が形成され、前記支持フレームに前記第１固定孔に対応する第２固定孔が形成されて、前記第１固定孔及び前記第２固定孔に前記固定部材が結合されることができる。
【００２０】
また、本発明の一実施例によるモータハウジングにおいて、前記固定部にガイド孔が形成され、前記支持フレームに前記ガイド孔に対応するようにガイド突起が形成されて、前記支持フレームが前記固定部に結合される際に前記ガイド突起が前記ガイド孔に挿入されることができる。
【００２１】
また、本発明の一実施例によるモータハウジングにおいて、前記ガイド突起は、円周経路に沿って等間隔に配置されることができる。
【００２２】
また、本発明の一実施例によるモータハウジングにおいて、前記固定部は、プレス加工によって前記ハウジング本体から折り曲げられて形成されることができる。
【００２３】
また、本発明の一実施例によるモータハウジングにおいて、前記ハウジング本体の一側を覆うハウジング蓋をさらに含み、前記ハウジング本体は一側方向に開放形成されることができる。
【発明の効果】
【００２４】
本発明によると、一対のモータハウジングの一側ハウジングの端部を内側に延長形成することにより、ハウジングの外径寸法を最小化することができる。
【００２５】
また、本発明によると、一対のモータハウジングの一側ハウジングにガイド孔を形成することにより、モータの回転軸を支持する支持フレームが一側のハウジングに結合される際に結合位置をガイドすることができるため、不正確な結合によって製品に欠陥が発生することを防止することができる。
【発明を実施するための最良の形態】
【００２６】
本発明の目的、特定の長所及び新規の特徴は添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２７】
以下、添付図面を参照して本発明の好ましい実施例を詳細に説明する。
【００２８】
図１は本発明の一実施例によるモータハウジングを示した斜視図であり、図２は本発明の一実施例によるモータハウジングを示した断面図である。
【００２９】
図１及び図２を参照すると、本発明の一実施例によるモータハウジング１００は、固定部１１１が形成されたハウジング本体１１０と、支持フレーム１２０と、を含む。また、本発明の一実施例によるモータハウジング１００は、ハウジング蓋１４０及び固定部材１３０をさらに含むことができる。
【００３０】
図３は本発明の一実施例によるモータハウジングにおけるハウジング本体及び支持フレームを示した斜視図であり、図４は本発明の一実施例によるモータハウジングにおけるハウジング本体及び支持フレームを示した分離斜視図であり、図５は本発明の一実施例によるモータハウジングにおけるハウジング本体を示した斜視図である。
【００３１】
以下、図１から図５を参照して、本発明の一実施例によるモータハウジング１００についてより詳細に説明する。
【００３２】
まず、図３から図５を参照すると、ハウジング本体１１０は、内側にモータの固定子１０及び回転軸２１を含む回転子２０が収容される空間である収容部１１４が形成される。
【００３３】
また、ハウジング本体１１０は、一側が開口された円筒状に形成され、側部にハウジング本体１１０の内、外側を貫通する排出孔１１２が形成される。この際、複数の排出孔１１２が備えられることができ、例えば、四つの排出孔１１２が備えられ、ハウジング本体１１０の四つの部分にそれぞれ形成されることができる。
【００３４】
尚、ハウジング本体１１０の下側部にはハウジング本体１１０の内、外側を貫通する治具孔１１３が形成されるため、ハウジング本体１１０の上側端部を折り曲げて（ｂｅｎｄｉｎｇ）固定部１１１を形成するプレス加工を行う際に、治具を下側方向からハウジング本体１１０に挿入させて、折り曲げられる部位に位置させることが容易になる。
【００３５】
ここで、ハウジング本体１１０の上側及び下側は、一例として、図３及び図４に図示されたハウジング本体１１０を基準として上側方向及び下側方向を意味し、本発明がこれに限定されるものではない。
【００３６】
尚、ハウジング本体１１０の下部に第１軸受１１５が備えられて、回転軸２１の下部を回転可能に支持することができる。
【００３７】
固定部１１１は、ハウジング本体１１０の上側端部から内側に延長形成される。ここで、固定部１１１は長方形の形態にハウジング本体１１０から延長形成されるが、プレス加工によってハウジング本体１１０の中心軸方向に直角に折り曲げられて形成され、水平に位置されることができる。この際、固定部１１１は、一例として「¬」状に形成されることができる。しかし、本発明の固定部１１１の形態が必ずしもこれに限定されるものではない。
【００３８】
また、固定部１１１は、一側に第１固定孔１１１ａが形成され、他側にガイド孔１１１ｂが形成される。ここで、第１固定孔１１１ａ及びガイド孔１１１ｂは、固定部１１１の上、下を貫通して形成されることができる。また、第１固定孔１１１ａは、横断面が円形からなり、内周面に沿ってねじ孔が形成されて、ガイド孔１１１ｂは長方形に形成されることができるが、本発明が必ずしもこれに限定されるものではない。
【００３９】
尚、複数の固定部１１１が備えられ、ハウジング本体１１０からそれぞれ延長形成されることができる。例えば、四つの固定部１１１が備えられ、ハウジング本体１１０の四つの部分からそれぞれ延長形成されることができる。
【００４０】
支持フレーム１２０は、固定部１１１に結合され、ハウジング本体１１０の収容部１１４に収容された回転子２０の回転軸２１を支持する。
【００４１】
また、支持フレーム１２０の中央部には第２軸受１２３が備えられ、回転軸２１を回転可能に支持することができる。この際、第２軸受１２３の中央部に支持孔１２４が形成され、回転軸２１が支持孔１２４に挿入される。
【００４２】
尚、支持フレーム１２０は中央部から四方向に延長形成され、支持フレーム１２０の四方向の延長形成された端部が、ハウジング本体１１０の四方向に延長形成された四つの固定部１１１にそれぞれ固定部材１３０によって固定されることができる。
【００４３】
この際、支持フレーム１２０の端部の一側に第２固定孔１２１が形成され、固定部材１３０が第２固定孔１２１を介して固定部１１１の第１固定孔１１１ａに結合される。
【００４４】
ここで、固定部材１３０は、例えばねじからなり、第２固定孔１２１の内周面にねじ部が形成され、固定部材１３０であるねじが第１固定孔１１１ａ及び第２固定孔１２１にねじ結合されることにより、支持フレーム１２０を固定部１１１に固定させることができる。
【００４５】
尚、支持フレーム１２０の端部の他側にガイド突起１２２が形成され、固定部に形成されたガイド孔１１１ｂに挿入される。ここで、支持フレーム１２０がハウジング本体１１０に結合される際に、支持フレーム１２０に形成されたガイド突起１２２がガイド孔１１１ｂにより案内されて、正確な位置に支持フレーム１２０を固定させることができる。
【００４６】
尚、ガイド突起１２２は、円周経路に沿って等間隔に配置されることができる。
【００４７】
ここで、ガイド孔１１１ｂ及びガイド突起１２２の平断面は、互いに対応するように形成される。この際、例えば、ガイド孔１１１ｂ及びガイド突起１２２の平断面は、長方形に形成されることができる。
【００４８】
一方、支持フレーム１２０は、例えば、金属材質のフレームからなることができるが、本発明がこれに限定されるものではない。
【００４９】
図１及び図２を参照すると、ハウジング蓋１４０は、ハウジング本体１１０の上部を覆うようにハウジング本体１１０の上部に結合される。
【００５０】
また、ハウジング蓋１４０は、内側に収容空間が形成され、中央部に流入孔１４１が形成される。
【００５１】
尚、ハウジング蓋１４０の側部には流出孔１４２が形成され、この際、多数の流出孔１４２が形成されることができる。
【００５２】
また、ハウジング蓋１４０の収容空間にインペラ３０が収容され、インペラ３０の回転により流入孔１４１を介してハウジング蓋１４０の収容空間に空気が流入される。
【００５３】
ここで、ハウジング蓋１４０の収容空間に流入される空気の一部はハウジング蓋１４０の流出孔１４２を介して排出され、他の一部はハウジング本体１１０の排出孔１１２を介して排出されることができる。
【００５４】
一方、インペラ３０は、例えば、回転軸２１の端部に結合され、回転軸２１の回転によって回転されることができる。
【００５５】
また、ハウジング蓋１４０の下部は、ハウジング本体１１０の上部外周面に嵌合されることができる。この際、ハウジング蓋１４０の下部内周面の直径は、ハウジング本体１１０の上部外周面の直径と等しいか、またはそれより小さく形成されることができる。
【００５６】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００５７】
本発明の単純な変形乃至変更はいずれも本発明の領域に属するものであり、本発明の具体的な保護範囲は添付の特許請求の範囲により明確になるであろう。
【図面の簡単な説明】
【００５８】
【図１】本発明の一実施例によるモータハウジングを示した斜視図である。
【図２】本発明の一実施例によるモータハウジングを示した断面図である。
【図３】本発明の一実施例によるモータハウジングにおけるハウジング本体及び支持フレームを示した斜視図である。
【図４】本発明の一実施例によるモータハウジングにおけるハウジング本体及び支持フレームを示した分離斜視図である。
【図５】本発明の一実施例によるモータハウジングにおけるハウジング本体を示した斜視図である。
【符号の説明】
【００５９】
１０  固定子
２０  回転子
２１  回転軸
３０  インペラ
１００  モータハウジング
１１０  ハウジング本体
１１１  固定部
１１１ａ  第１固定孔
１１１ｂ  ガイド孔
１１２  排出孔
１１３  治具孔
１１４  収容部
１１５  第１軸受
１２０  支持フレーム
１２１  第２固定孔
１２２  ガイド突起
１２３  第２軸受
１２４  支持孔
１３０  固定部材
１４０  ハウジング蓋
１４１  流入孔
１４２  流出孔
【図１】
2014039453.tif 000003
【図２】
2014039453.tif 000004
【図３】
2014039453.tif 000005
【図４】
2014039453.tif 000006
【図５】
2014039453.tif 000007